(57)【要約】【課題】砂塵などの装置内部への進入を抑制することができるシート搬送装置を提供する。【解決手段】シート搬送装置は、用紙１５の搬送路２３が内部に形成されたプリンタ筐体１４と、搬送路２３を区画するガイド部３１を有し、プリンタ筐体１４の内部をプリンタ筐体１４の外部に露出する露出位置、及びプリンタ筐体１４の内部をプリンタ筐体１４の外部に対して閉塞する閉塞位置に移動可能なカバー４０と、搬送路２３を区画し、回転することによって搬送路２３に位置する用紙１５を搬送する搬送ローラ５９と、プリンタ筐体１４の内部に配置された搬送用モータ８９と、プリンタ筐体１４の内部に配置されており、搬送用モータ８９の駆動力を搬送ローラ５９へ伝達する駆動伝達部９０と、閉塞位置のカバー４０とプリンタ筐体１４との隙間を埋める位置に取り付けられた防塵部７０と、を備える。【選択図】図４
2018124417.tif 000002
【特許請求の範囲】
【請求項１】
シートの搬送路が形成された筐体と、
回転することによってシートを搬送するローラと、
上記筐体の内部に配置されたモータと、
上記モータの駆動力を上記ローラへ伝達する駆動伝達部と、
シートをガイドするガイド部、及び上記駆動伝達部の少なくとも一部を有し、上記筐体の内部を上記筐体の外部に対して閉塞する第１位置、及び当該第１位置とは異なる第２位置に移動可能な移動部材と、
上記第１位置の上記移動部材と上記筐体との隙間を埋める位置に取り付けられた防塵部と、を備えるシート搬送装置。
【請求項２】
上記防塵部は、上記移動部材に取り付けられている請求項１に記載のシート搬送装置。
【請求項３】
上記駆動伝達部は、
上記ローラと同軸で一体回転するギヤと、
上記ギヤと噛合可能であり、上記モータから駆動力を付与されるギヤ列と、を備える請求項１または２に記載のシート搬送装置。
【請求項４】
上記ローラ及び上記ギヤは、上記移動部材に取り付けられており、
上記ギヤは、上記移動部材が上記第１位置の状態において上記ギヤ列と噛合する請求項３に記載のシート搬送装置。
【請求項５】
上記ギヤ列における上記ギヤとの噛合部分を除いた部分を覆う第１被覆部を備える請求項４に記載のシート搬送装置。
【請求項６】
上記ギヤにおける上記ギヤ列との噛合部分を除いた部分を覆う第２被覆部を備える請求項４または５に記載のシート搬送装置。
【請求項７】
上記駆動伝達部を覆う被覆部を備える請求項１から３のいずれかに記載のシート搬送装置。
【請求項８】
上記移動部材は、上記筐体に対して着脱されることによって上記第１位置及び上記第２位置に移動する請求項１から７のいずれかに記載のシート搬送装置。
【請求項９】
上記移動部材は、上記筐体に回動可能に支持されており、回動することによって上記第１位置及び上記第２位置に移動する請求項１から７のいずれかに記載のシート搬送装置。
【請求項１０】
上記ガイド部は、上記搬送路を区画するものであり、
上記移動部材は、上記第２位置において上記筐体の内部を上記筐体の外部に露出するものである請求項１から９のいずれかに記載のシート搬送装置。
【請求項１１】
上記移動部材は、シートを上記搬送路へ給送するトレイであり、
上記ガイド部は、シートを支持するものである請求項１から９のいずれかに記載のシート搬送装置。
【請求項１２】
上記防塵部は、多孔質材料である請求項１から１１のいずれかに記載のシート搬送装置。
【請求項１３】
請求項１から１２のいずれかに記載のシート搬送装置と、
上記筐体の内部に配置されており、上記搬送路を搬送されるシートに画像を記録する記録部と、を備える画像記録装置。
【発明の詳細な説明】
【技術分野】
【０００１】
本発明は、シートを搬送するシート搬送装置、及び当該シート搬送装置を備えており当該シート搬送装置によって搬送されたシートに画像を記録する画像記録装置に関する。
【背景技術】
【０００２】
従来より、シートを搬送するシート搬送装置が知られている。シート搬送装置を備える装置として、例えばシートに画像を記録する画像記録装置が知られている。
【０００３】
画像記録装置には、筐体に対して開閉や着脱などが可能なカバーを備えているものがある。カバーが筐体に対して開かれたり脱抜されたりすることによって、筐体の内部が露出される。これにより、筐体の内部でシートが詰まった場合、カバーを筐体に対して開いたり脱抜したりすることによって、筐体の内部を露出させて、詰まったシートを取り出すことができる。特許文献１には、内部で詰まったシートを取り出すために、筐体から脱抜させることができるカバーを備えた画像記録装置が開示されている。
【先行技術文献】
【特許文献】
【０００４】
【特許文献１】特開２０１３−４３７７５号公報
【発明の概要】
【発明が解決しようとする課題】
【０００５】
画像記録装置には、カバーの近傍に、ギヤなどの部品が配置されているものがある。例えば、特許文献１に開示された画像記録装置は、カバーにローラが取り付けられている。つまり、特許文献１に開示された画像記録装置は、カバーの近傍に、ローラを回転させるためのギヤなどが配置されている。
【０００６】
この場合、以下の問題が発生するおそれがある。つまり、画像記録装置が塵や埃が多い環境（例えば砂塵が舞う屋外又はそのような屋外に面し、窓やドア等の仕切りがないか或いはそのような仕切りがほとんど無い露店）に設置された場合、カバーが筐体に対して閉じていたり、カバーが筐体に装着されたりしている状態であっても、砂塵などが、カバーと筐体との隙間を通じて筐体の内部に進入するおそれがある。そして、筐体の内部に進入した砂塵などが、カバーの近傍に配置されたギヤなどに付着して、ギヤなどの駆動を阻害するおそれがある。その結果、ローラの回転が阻害され、シートが搬送できなくなるおそれがある。
【０００７】
本発明は、上記問題に鑑みてなされたものであり、その目的は、砂塵などの装置内部への進入を抑制することができるシート搬送装置を提供することにある。
【課題を解決するための手段】
【０００８】
(1)  本発明のシート搬送装置は、シートの搬送路が形成された筐体と、回転することによってシートを搬送するローラと、上記筐体の内部に配置されたモータと、上記モータの駆動力を上記ローラへ伝達する駆動伝達部と、シートをガイドするガイド部、及び上記駆動伝達部の少なくとも一部を有し、上記筐体の内部を上記筐体の外部に対して閉塞する第１位置、及び当該第１位置とは異なる第２位置に移動可能な移動部材と、上記第１位置の上記移動部材と上記筐体との隙間を埋める位置に取り付けられた防塵部と、を備える。
【０００９】
防塵部が第１位置の移動部材と筐体との隙間を埋める位置に取り付けられているため、砂塵などが当該隙間から筐体の内部に進入することを低減できる。これにより、駆動伝達部への砂塵などの付着を低減することができる。その結果、ローラの回転不良によってシートが搬送できなくなる可能性を低くすることができる。
【００１０】
(2)  上記防塵部は、上記移動部材に取り付けられている。
【００１１】
仮に、防塵部が筐体に取り付けられている場合、移動部材が第１位置と第２位置との間で移動する過程において、移動部材が防塵部に引っ掛かるおそれがある。本構成では、防塵部が移動部材に取り付けられているため、前記のような引っ掛かりの発生を低減することができる。
【００１２】
(3)  例えば、上記駆動伝達部は、上記ローラと同軸で一体回転するギヤと、上記ギヤと噛合可能であり、上記モータから駆動力を付与されるギヤ列と、を備える。
【００１３】
(4)  上記ローラ及び上記ギヤは、上記移動部材に取り付けられている。上記ギヤは、上記移動部材が上記第１位置の状態において上記ギヤ列と噛合する。
【００１４】
本構成のようにローラが移動部材に取り付けられている構成では、シートがローラに巻き込まれた場合に、移動部材を第２位置に移動させることによって、ローラが筐体に取り付けられている構成よりも、シートを容易に取り出すことができる。
【００１５】
(5)  本発明のシート搬送装置は、上記ギヤ列における上記ギヤとの噛合部分を除いた部分を覆う第１被覆部を備える。
【００１６】
移動部材が第２位置にされた場合に、砂塵などが筐体の内部に進入する。しかし、砂塵などのギヤ列への付着を第１被覆部によって低減することができる。
【００１７】
(6)  本発明のシート搬送装置は、上記ギヤにおける上記ギヤ列との噛合部分を除いた部分を覆う第２被覆部を備える。
【００１８】
移動部材が第２位置にされた場合に、砂塵などが筐体の内部に進入する。しかし、砂塵などのギヤへの付着を第２被覆部によって低減することができる。
【００１９】
(7)  本発明のシート搬送装置は、上記駆動伝達部を覆う被覆部を備える。
【００２０】
移動部材が第２位置にされた場合に、砂塵などが筐体の内部に進入する。しかし、砂塵などの駆動伝達部への付着を被覆部によって低減することができる。
【００２１】
(8)  例えば、上記移動部材は、上記筐体に対して着脱されることによって上記第１位置及び上記第２位置に移動する。
【００２２】
(9)  例えば、上記移動部材は、上記筐体に回動可能に支持されており、回動することによって上記第１位置及び上記第２位置に移動する。
【００２３】
(10)  例えば、上記ガイド部は、上記搬送路を区画するものであり、上記移動部材は、上記第２位置において上記筐体の内部を上記筐体の外部に露出するものである。
【００２４】
(11)  例えば、上記移動部材は、シートを上記搬送路へ給送するトレイであり、上記ガイド部は、シートを支持するものである。
【００２５】
(12)  上記防塵部は、多孔質材料である。
【００２６】
防塵部に進入した砂塵などは、筐体の外部から内部へ進入するために防塵部に形成された複数の細孔を通過する必要がある。しかし、砂塵などの多くは、複数の細孔を通過することなく、複数の細孔の間にある多孔質材料の壁によって進入を阻まれる。その結果、砂塵などの筐体の内部への進入を抑制することができる。
【００２７】
また、防塵部が多孔質材料であるため、筐体の外部と内部との間における空気の移動は可能である。これにより、移動部材が第２位置の状態において、筐体の内部に配置されたモータから発する熱が筐体の内部に籠もり、筐体の内部の温度が上昇することを抑制できる。
【００２８】
(13)  本発明は、上記シート搬送装置と、上記筐体の内部に配置されており、上記搬送路を搬送されるシートに画像を記録する記録部と、を備える画像記録装置として捉えることができる。
【発明の効果】
【００２９】
本発明によれば、砂塵などの装置内部への進入を抑制することができる。
【図面の簡単な説明】
【００３０】
【図１】図１は、複合機１０を右前方から見た外観斜視図である。
【図２】図２は、プリンタ部１１の内部構造を模式的に示す縦断面図である。
【図３】図３は、カバー４０が閉塞位置の状態の複合機１０を右後方から見た外観斜視図である。
【図４】図４は、カバー４０が露出位置の状態の複合機１０を左後方から見た外観斜視図である。
【図５】図５は、閉塞位置のカバー４０と駆動伝達部９０と給送部１６との斜視図である。
【図６】図６は、閉塞位置のカバー４０と駆動伝達部９０と給送部１６との左側面図である。
【図７】図７は、露出位置のカバー４０と駆動伝達部９０と給送部１６との左側面図である。
【図８】図８は、変形例におけるカバー４０が露出位置の状態の複合機１０を右後方から見た外観斜視図である。
【図９】図９は、給送トレイ７１が第１位置の状態の複合機１０を右後方から見た外観斜視図である。
【図１０】図１０は、給送トレイ７１が第２位置の状態の複合機１０を右後方から見た外観斜視図である。
【図１１】図１１は、第２位置の給送トレイ７１に用紙１５が支持された状態の複合機１０を右後方から見た外観斜視図である。
【図１２】図１２は、閉塞位置のカバー４０と駆動伝達部９０と給送部１６と給送トレイ７１との左側面図である。
【発明を実施するための形態】
【００３１】
以下、本発明の実施形態について説明する。なお、以下に説明される実施形態は本発明の一例にすぎず、本発明の要旨を変更しない範囲で、本発明の実施形態を適宜変更できることは言うまでもない。また、以下の説明では、複合機１０が使用可能に設置された状態（図１の状態）を基準として上下方向７が定義され、開口１３が設けられている面を前面２２として前後方向８が定義され、複合機１０を前方から見て左右方向９が定義される。上下方向７、前後方向８、及び左右方向９は互いに直交している。
【００３２】
［複合機１０の全体構造］
図１に示されるように、複合機１０（画像記録装置の一例）は、概ね薄型の直方体に形成されている。
【００３３】
複合機１０は、その上部にスキャナ部１２を備えている。スキャナ部１２は、用紙などの原稿に記録された画像をイメージセンサによって読み取って画像データを取得する。スキャナ部１２は、所謂フラットベッドスキャナである。フラットベッドスキャナは公知であるため、ここではスキャナ部１２についての詳細な説明は省略される。
【００３４】
複合機１０は、その下部にプリンタ部１１を備えている。プリンタ部１１は、上記画像データなどに基づいて、用紙１５（シートの一例、図２参照）に画像を記録する。
【００３５】
図２に示されるように、プリンタ部１１は、シート搬送装置と、記録部２４とを備えている。シート搬送装置は、プリンタ筐体１４（筐体の一例、図１参照）と、カバー４０（移動部材の一例）と、搬送用モータ８９（モータの一例、図６及び図７参照）と、駆動伝達部９０（図５〜図７参照）と、給送部１６と、第１搬送ローラ対５８と、第２搬送ローラ対６３と、排出ローラ対６６と、防塵部７０（図４〜図７参照）とを備えている。なお、上述したシート搬送装置の各部と記録部２４との詳細については、以下で説明される。
【００３６】
［プリンタ筐体１４］
図１に示されるように、プリンタ筐体１４は、プリンタ部１１の外形を構成するものである。プリンタ筐体１４は、概ね直方体に形成された箱形である。プリンタ筐体１４は、内部空間３０（図２参照）を備えている。図２に示されるように、内部空間３０には、搬送路２３が形成されている。また、内部空間３０には、搬送用モータ８９（図６及び図７参照）、駆動伝達部９０（図５〜図７参照）、給送部１６、第１搬送ローラ対５８、第２搬送ローラ対６３、排出ローラ対６６、及び記録部２４などが配置されている。
【００３７】
図１に示されるように、プリンタ筐体１４の前面２２に、開口１３が形成されている。給送トレイ２０及び排出トレイ２１が、開口１３を通じてプリンタ筐体１４に対して前後方向８に挿抜可能である。給送トレイ２０には、所望のサイズの用紙１５が支持される。排出トレイ２１には、記録部２４によって画像を記録されて内部空間３０から排出された用紙１５が支持される。なお、図１には、給送トレイ２０及び排出トレイ２１がプリンタ筐体１４に装着された状態が示されている。
【００３８】
［給送部１６］
図２に示されるように、給送部１６は、記録部２４の下方に配置されている。給送部１６は、給送ローラ２５、給送アーム２６、及び軸２８を備えている。給送ローラ２５は、給送アーム２６の先端部で回転可能に支持されている。給送アーム２６は、その基端部に設けられた軸２８を中心として、矢印２９の方向へ回動する。これにより、給送ローラ２５は、給送トレイ２０または給送トレイ２０に支持された用紙１５に対して、当接及び離間が可能である。
【００３９】
給送ローラ２５は、搬送用モータ８９（図６及び図７参照）の駆動力が伝達されることによって回転する。搬送用モータ８９の駆動力は、後述する駆動伝達部９０（図５〜図７参照）を介して軸２８へ伝達される。軸２８と給送ローラ２５とは、無端環状のベルトや、ギヤ列などによって連結されている。これにより、軸２８に伝達された駆動力は、給送ローラ２５へ伝達される。給送ローラ２５が回転することにより、給送トレイ２０に支持された用紙１５のうち、給送ローラ２５と当接している最上の用紙１５が、搬送路２３へ給送される。
【００４０】
［搬送路２３］
図２に示されるように、搬送路２３は、給送トレイ２０の後端部を基点として、下方から上方に延びつつＵターンしてから、前方へ延びて記録部２４の下方を通って排出トレイ２１に至る通路である。搬送路２３は、所定間隔を隔てて互いに対向するガイド部材３２及びカバー４０のガイド部３１、第２搬送ローラ対６３、所定間隔を隔てて互いに対向する記録部２４及びプラテン６７、並びに排出ローラ対６６によって区画される空間である。用紙１５は、搬送路２３を、図２に破線の矢印で示される向きである搬送向きに搬送される。
【００４１】
ガイド部３１は、前方を向き且つ後方へ凹むように湾曲する湾曲面３１Ａを有する。ガイド部材３２は、後方を向き且つ後方へ膨らむように湾曲する湾曲面３２Ａを有する。２つの湾曲面３１Ａ、３２Ａが互いに対向することによって、下方から上方に延びつつＵターンする搬送路２３が形成されている。用紙１５は、湾曲面３１Ａ、３２Ａに沿って案内される。
【００４２】
［ローラ対５８、６３、６６］
図２に示されるように、搬送路２３に、第１搬送ローラ対５８が配置されている。第１搬送ローラ対５８は、搬送ローラ５９（ローラの一例）及びピンチローラ６０よりなる。搬送ローラ５９は、カバー４０によって回転可能に支持されている。搬送ローラ５９の一部は、カバー４０のガイド部３１に形成された開口５４を通じて、湾曲面３１Ａよりも搬送路２３の側へ突出している。これにより、搬送ローラ５９は、搬送路２３を区画している。ピンチローラ６０は、ガイド部材３２によって回転可能に支持されている。ピンチローラ６０の一部は、ガイド部材３２に形成された開口５５を通じて、湾曲面３２Ａよりみお搬送路２３の側へ突出している。これにより、ピンチローラ６０は、搬送路２３を区画している。ピンチローラ６０は、ばねなどの弾性部材（不図示）によって搬送ローラ５９に圧接されている。これにより、第１搬送ローラ対５８は、用紙１５を挟持可能である。
【００４３】
搬送路２３における第１搬送ローラ対５８よりも搬送向きの下流に、第２搬送ローラ対６３が配置されている。第２搬送ローラ対６３は、搬送ローラ６１及びピンチローラ６２よりなる。ピンチローラ６２は、ばねなどの弾性部材（不図示）によって搬送ローラ６１に圧接されている。これにより、第２搬送ローラ対６３は、用紙１５を挟持可能である。
【００４４】
搬送路２３における第２搬送ローラ対６３よりも搬送向きの下流に、排出ローラ対６６が配置されている。排出ローラ対６６は、排出ローラ６４及び拍車６５よりなる。拍車６５は、ばねなどの弾性部材（不図示）によって排出ローラ６４に圧接されている。これにより、排出ローラ対６６は、用紙１５を挟持可能である。
【００４５】
第１搬送ローラ対５８、第２搬送ローラ対６３、及び排出ローラ対６６は、給送ローラ２５によって搬送路２３に給送された用紙１５を搬送する。搬送ローラ５９、搬送ローラ６１、及び排出ローラ６４は、搬送用モータ８９（図６及び図７参照）の駆動力が伝達されることによって駆動される。駆動力が伝達された搬送ローラ５９は、ピンチローラ６０との間に用紙１５を挟持しつつ搬送向きへ搬送する。駆動力が伝達された搬送ローラ６１は、ピンチローラ６２との間に用紙１５を挟持しつつ搬送向きへ搬送する。駆動力が伝達された排出ローラ６４は、拍車６５との間に用紙１５を挟持しつつ搬送向きへ搬送する。
【００４６】
［記録部２４］
図２に示されるように、搬送路２３における第２搬送ローラ対６３及び排出ローラ対６６の間に、記録部２４が配置されている。記録部２４は、スキャナ部１２によって原稿から読み取られた画像データなどに基づいて、インクジェット方式にて用紙１５に画像を記録する。記録部２４は、インクジェット方式でインク滴を吐出する記録ヘッド３７と、記録ヘッド３７を搭載するキャリッジ３８とを備えている。キャリッジ３８は、用紙１５の搬送向きと直交する左右方向９に沿って移動可能に、ガイドレール４５、４６によって支持されている。ガイドレール４５、４６は、プリンタ筐体１４に支持されている。キャリッジ３８は、キャリッジ駆動用モータ（不図示）の駆動力が伝達されることによって移動する。
【００４７】
記録ヘッド３７は、キャリッジ３８の下部に配置されている。記録ヘッド３７の下面には、複数のノズル（不図示）が形成されている。ノズルは、キャリッジ３８の下面に露出している。ノズルから下方のプラテン６７へ向けてインク滴が吐出される。プラテン６７は、記録ヘッド３７の下方に記録ヘッド３７と対向して配置されている。プラテン６７は、概ね平板形状であり、その上面に用紙１５を支持可能である。
【００４８】
図１に示されるように、プリンタ部１１の右前部には、各色（例えばブラック、イエロー、シアン、マゼンタ）のインクタンク３６が配置されている。各色のインクがインクタンク３６から図２に示される記録ヘッド３７へ供給される。キャリッジ３８が左右方向９に沿って移動している間に、各ノズルから各色のインクが微小なインク滴として選択的に吐出される。これにより、プラテン６７上を搬送される用紙１５に画像が記録される。
【００４９】
なお、記録部２４が用紙１５に画像を記録する方式は、インクジェット方式に限らず、例えば電子写真方式であってもよい。
【００５０】
［カバー４０］
図３に示されるように、プリンタ筐体１４の後面１７には、カバー４０が取り付けられている。カバー４０は、後面１７に形成された開口１８（図４参照）を通じて、プリンタ筐体１４に対して着脱可能である。カバー４０は、嵌合などの公知の手段によって、プリンタ筐体１４に装着される。図２及び図３には、カバー４０がプリンタ筐体１４に装着された状態が示されている。図４には、カバー４０がプリンタ筐体１４から脱抜された状態が示されている。なお、以下のカバー４０の構成の説明においては、カバー４０が図３及び図４に示される姿勢であるものとして、上下方向７、前後方向８、及び左右方向９が規定される。
【００５１】
図５に示されるように、カバー４０は、外壁４１、右壁４２、左壁４３、及びガイド部３１を備えている。
【００５２】
外壁４１は、概ね上下方向７及び左右方向９に拡がった壁である。図３に示されるように、外壁４１の後面は、カバー４０がプリンタ筐体１４に装着された状態において、プリンタ筐体１４の後面１７の一部を構成している。
【００５３】
図５に示されるように、右壁４２は、外壁４１の前面の右端部から前方へ延びている。左壁４３は、外壁４１の前面の左端部から前方へ延びている。
【００５４】
ガイド部３１は、湾曲面３１Ａの裏側から、つまり後方から外壁４１によって支持されている。また、ガイド部３１は、その右端部を右壁４２によって支持されており、その左端部を左壁４３によって支持されている。ガイド部３１は、嵌合やビス締めなどの公知の手段によって、外壁４１、右壁４２、及び左壁４３の少なくとも一つと繋がっている。なお、ガイド部３１は、外壁４１、右壁４２、及び左壁４３の少なくとも一つと一体に形成されていてもよい。
【００５５】
図４に示されるように、カバー４０がプリンタ筐体１４から脱抜された状態において、プリンタ筐体１４の内部空間３０はプリンタ筐体１４の外部に露出されている。このときのカバー４０の位置が、露出位置（第２位置の一例）である。
【００５６】
一方、図３に示されるように、カバー４０がプリンタ筐体１４に装着された状態において、プリンタ筐体１４の内部空間３０はプリンタ筐体１４の外部に対して閉塞されている。また、カバー４０がプリンタ筐体１４に装着された状態では、図２に示されるように、ガイド部３１はガイド部材３２と対向している。これにより、ガイド部３１は、搬送路２３を区画している。このときのカバー４０の位置が、閉塞位置（第１位置の一例）である。以上より、カバー４０は、露出位置と閉塞位置とに移動可能である。
【００５７】
なお、カバー４０は、着脱以外によって露出位置と閉塞位置とに移動してもよい。例えば、カバー４０は、右壁４２及び左壁４３の下端部に形成された軸を介してプリンタ筐体１４によって回動可能に支持されており、回動することによって露出位置と閉塞位置とに移動してもよい。また、例えば、カバー４０は、プリンタ筐体１４によって前後方向８に沿ってスライド可能に支持されており、後方へスライドすることによって閉塞位置から露出位置へ移動し、前方へスライドすることによって露出位置から閉塞位置へ移動してもよい。
【００５８】
［搬送用モータ８９及び駆動伝達部９０］
搬送用モータ８９は、プリンタ筐体１４の内部空間３０に配置されている。本実施形態において、搬送用モータ８９は、図６に示されるように、閉塞位置のカバー４０の前方に配置されている。もちろん、搬送用モータ８９の配置位置は、図６に示される位置以外であってもよい。
【００５９】
駆動伝達部９０は、搬送用モータ８９の駆動力を、給送ローラ２５、搬送ローラ５９、搬送ローラ６１、及び排出ローラ６４へ伝達するものである。
【００６０】
図５及び図６に示されるように、駆動伝達部９０は、第１ギヤ９１（ギヤの一例）と、第２ギヤ９２と、ギヤ列９３とを備えている。
【００６１】
第１ギヤ９１は、カバー４０の右壁４２によって回転可能に支持されている。第１ギヤ９１は、搬送ローラ５９と同軸で一体回転する。
【００６２】
第２ギヤ９２は、プリンタ筐体１４によって回転可能に支持されている。第２ギヤ９２は、給送部１６の軸２８と同軸で一体回転する。
【００６３】
ギヤ列９３は、４つのギヤ９３Ａ、９３Ｂ、９３Ｃ、９３Ｄで構成されている。ギヤ９３Ａは、搬送用モータ８９と噛合している。つまり、ギヤ列９３は、搬送用モータ８９から駆動力を付与される。また、ギヤ９３Ａは、第１ギヤ９１と噛合可能である。詳細には、図６に示されるように、カバー４０が閉塞位置のとき、第１ギヤ９１はギヤ９３Ａと噛合する。一方、図７に示されるように、カバー４０が露出位置のとき、第１ギヤ９１はギヤ９３Ａから離間する。ギヤ９３Ｄは、第２ギヤ９２と噛合している。
【００６４】
以上より、搬送用モータ８９の駆動力は、ギヤ列９３及び第１ギヤ９１を介して搬送ローラ５９へ伝達される。また、搬送用モータ８９の駆動力は、ギヤ列９３及び第２ギヤ９２を介して給送ローラ２５へ伝達される。
【００６５】
また、図示されていないが、駆動伝達部９０は、搬送用モータ８９の駆動力を搬送ローラ６１及び排出ローラ６４へ伝達するギヤ列を備えている。
【００６６】
なお、本実施形態において、ギヤ列９３は、４つのギヤ９３Ａ、９３Ｂ、９３Ｃ、９３Ｄで構成されていたが、４つ以外で構成されていてもよい。但し、給送ローラ２５と搬送ローラ５９とが共に用紙１５を搬送向きに搬送するように回転することが条件である。詳細には、図２において、給送ローラ２５が時計回り（用紙１５を搬送路２３へ給送する向き）に回転する場合に、搬送ローラ５９は反時計回り（用紙１５を搬送向きへ搬送する向き）に回転する必要がある。
【００６７】
また、本実施形態において、駆動伝達部９０は、搬送用モータ８９の駆動力をギヤ列によって各ローラへ伝達していたが、駆動力の伝達手段はギヤ列に限らない。例えば、搬送用モータ８９の駆動力は、ベルトなどによって各ローラへ伝達されてもよい。また、駆動伝達部９０は、搬送用モータ８９から各ローラへの駆動力の伝達を、公知の切替機構によって切替可能に構成されていてもよい。
【００６８】
［被覆部８０］
図５〜図７に示されるように、プリンタ筐体１４の内部空間３０に、被覆部８０が配置されている。被覆部８０は、中空の部材である。被覆部８０の内部には、駆動伝達部９０が配置される。つまり、被覆部８０は、駆動伝達部９０を覆うものである。なお、図５〜図７においては、被覆部８０の内部に配置された駆動伝達部９０が隠れないように、被覆部８０は破線で示されている。また、図４及び図８においては、被覆部８０の図示が省略されている。
【００６９】
本実施形態において、被覆部８０は、第１被覆部８１と第２被覆部８２とを備えている。
【００７０】
第１被覆部８１の内部には、搬送用モータ８９、第２ギヤ９２、及びギヤ列９３が配置されている。第１被覆部８１は、開口８３を備える。ギヤ９３Ａの一部が、開口８３を通じて露出している。
【００７１】
第２被覆部８２の内部には、第１ギヤ９１が配置されている。第２被覆部８２は、開口８４を備える。第１ギヤ９１の一部が、開口８４を通じて露出している。
【００７２】
カバー４０が閉塞位置に位置する状態において、ギヤ９３Ａにおける開口８３を通じて露出した部分と、第１ギヤ９１における開口８４を通じて露出した部分とが、噛合する。
【００７３】
以上より、第１被覆部８１は、ギヤ列９３における第１ギヤ９１との噛合部分を除いた部分を覆っている。また、第２被覆部８２は、第１ギヤ９１におけるギヤ列９３との噛合部分を除いた部分を覆っている。
【００７４】
本実施形態では、駆動伝達部９０の第１ギヤ９１とギヤ９３Ａとは、カバー４０が閉塞位置のときに互いに噛合し、カバー４０が露出位置のときに互いに離間している。そして、本実施形態では、第１ギヤ９１とギヤ９３Ａとの接離に対応するために、被覆部８０は、開口８３を有する第１被覆部８１と、開口８４を有する第２被覆部８２とを備えている。
【００７５】
しかし、例えば、搬送ローラ５９がカバー４０ではなくプリンタ筐体１４によって支持されている場合、第１ギヤ９１とギヤ９３Ａとは、常時噛合した状態である。この場合、被覆部８０は、複数の部分（例えば第１被覆部８１及び第２被覆部８２）に分けられることなく、１つの部分で構成されていてもよい。そして、その１つの被覆部８０の内部に、搬送用モータ８９、第１ギヤ９１、第２ギヤ９２、及びギヤ列９３が配置されていてもよい。
【００７６】
［防塵部７０］
防塵部７０は、プリンタ筐体１４の外部から内部空間３０への砂塵などの進入を防ぐためのものである。防塵部７０は、発砲ポリウレタンなどの多孔質材料である。
【００７７】
防塵部７０は、閉塞位置のカバー４０とプリンタ筐体１４との隙間を埋める位置に取り付けられている。
【００７８】
例えば、図４〜図７に示されるように、防塵部７０は、カバー４０の外壁４１の縁に沿って取り付けられている。詳細には、防塵部７０は、外壁４１の上面４１Ａ、下面４１Ｂ、左側面４１Ｃ、及び右側面４１Ｄに沿って取り付けられている。
【００７９】
また、防塵部７０は、プリンタ筐体１４に取り付けられていてもよい。この場合、例えば、図８に示されるように、防塵部７０は、開口１８を区画する縁面１８Ａに沿ってプリンタ筐体１４に取り付けられている。
【００８０】
［実施形態の効果］
防塵部７０が閉塞位置のカバー４０とプリンタ筐体１４との隙間を埋める位置に取り付けられているため、砂塵などが当該隙間からプリンタ筐体１４の内部に進入することを低減できる。これにより、駆動伝達部９０への砂塵などの付着を低減することができる。その結果、給送ローラ２５、搬送ローラ５９、搬送ローラ６１、及び排出ローラ６４の回転不良によって用紙１５が搬送できなくなる可能性を低くすることができる。
【００８１】
また、仮に、防塵部７０がプリンタ筐体１４に取り付けられている場合、カバー４０が露出位置と閉塞位置との間で移動する過程において、カバー４０が防塵部７０に引っ掛かるおそれがある。本実施形態では、防塵部７０がカバー４０に取り付けられているため、前記のような引っ掛かりの発生を低減することができる。
【００８２】
また、本実施形態のように搬送ローラ５９がカバー４０に取り付けられている構成では、用紙１５が搬送ローラ５９に巻き込まれた場合に、カバー４０を露出位置に移動させることによって、搬送ローラ５９がプリンタ筐体１４に取り付けられている構成よりも、用紙１５を容易に取り出すことができる。
【００８３】
また、カバー４０が露出位置にされた場合に、砂塵などがプリンタ筐体１４の内部に進入する。しかし、砂塵などのギヤ列９３への付着を第１被覆部８１によって低減することができる。
【００８４】
また、カバー４０が露出位置にされた場合に、砂塵などがプリンタ筐体１４の内部に進入する。しかし、砂塵などの第１ギヤ９１への付着を第２被覆部８２によって低減することができる。
【００８５】
また、カバー４０が露出位置にされた場合に、砂塵などがプリンタ筐体１４の内部に進入する。しかし、砂塵などの駆動伝達部９０への付着を被覆部８０によって低減することができる。
【００８６】
また、防塵部７０に進入した砂塵などは、プリンタ筐体１４の外部から内部へ進入するために防塵部７０に形成された複数の細孔を通過する必要がある。しかし、砂塵などの多くは、複数の細孔を通過することなく、複数の細孔の間にある多孔質材料の壁によって進入を阻まれる。その結果、砂塵などのプリンタ筐体１４の内部への進入を抑制することができる。
【００８７】
また、防塵部７０が多孔質材料であるため、プリンタ筐体１４の外部と内部との間における空気の移動は可能である。これにより、カバー４０が閉塞位置の状態において、プリンタ筐体１４の内部に配置された搬送用モータ８９などから発する熱がプリンタ筐体１４の内部に籠もり、プリンタ筐体１４の内部の温度が上昇することを抑制できる。
【００８８】
［変形例］
上記実施形態では、カバー４０が移動部材の一例であった。しかし、移動部材は、カバー４０に限らない。
【００８９】
例えば、移動部材は、カバー４０の代わりにまたはカバー４０に加えて設けられた第２の給送トレイ７１であってもよい。図９に示される複合機１０には、プリンタ筐体１４に、カバー４０に加えて給送トレイ７１が取り付けられている。図９に示される構成の場合、移動部材は、カバー４０及び給送トレイ７１である。
【００９０】
図９に示される複合機１０において、プリンタ筐体１４は、その後面１７に、給送トレイ７１が取り付けられる被取付部１４Ａを備えている。図１０に示されるように、被取付部１４Ａの後面１４Ｂには、用紙１５がプリンタ筐体１４の外部からプリンタ筐体１４の内部へ通過可能な開口１４Ｃが形成されている。
【００９１】
給送トレイ７１は、被取付部１４Ａに対して、図９に示される第１位置と、図１０に示される第２位置とに回動可能である。
【００９２】
第１位置の給送トレイ７１は、被取付部１４Ａに対して起立しており、開口１４Ｃを覆っている。これにより、プリンタ筐体１４の内部がプリンタ筐体１４の外部に対して閉塞される。
【００９３】
第２位置の給送トレイ７１は、被取付部１４Ａに対して傾倒している。この状態において、給送トレイ７１の上面７１Ａ（ガイド部の一例）は、図１１に示されるように、用紙１５を支持可能である。支持された用紙１５は、被取付部１４Ａに取り付けられたローラ７２（図１２参照）によって、上面１４Ａに沿って案内され、開口１４Ｃを通じて筐体１４の内部の搬送路２３へ給送される。
【００９４】
図１２に示される構成では、駆動伝達部９０は、３つのギヤ７３Ａ、７３Ｂ、７３Ｃで構成されたギヤ列７３を備えている。そして、ローラ７２は、搬送用モータ９０からギヤ列９３、７３を介して駆動力を伝達されて回転する。
【００９５】
なお、ギヤ列７３のギヤ数は３個に限らない。また、図１２において、ギヤ７３Ａは、ギヤ列９３のギヤ９３Ａと噛合されているが、ギヤ９３Ａ以外のギヤと噛合していてもよい。また、ローラ７２は、給送トレイ７１に取り付けられていてもよい。また、ローラ７２は、搬送用モータ８９以外のモータによって駆動されてもよい。
【００９６】
図９に示される複合機１０において、防塵部７０は、閉塞位置のカバー４０とプリンタ筐体１４との隙間を埋める位置に加えて、第１位置の給送トレイ７１とプリンタ筐体１４の被取付部１４Ａとの隙間を埋める位置に取り付けられている。
【００９７】
なお、給送トレイ７１は、回動以外によって第１位置と第２位置とに移動してもよい。例えば、給送トレイ７１は、被取付部１４Ａに対して着脱されることによって、第１位置と第２位置とに移動してもよい。
【００９８】
また、被取付部１４Ａ及び給送トレイ７１に、上記ローラが取り付けられていなくてもよい。この場合、用紙１５は、例えば、開口１４Ｃを通じて筐体１４の内部の搬送ローラ６１に接した状態で、給送トレイ７１に支持される。そして、当該用紙１５は、搬送ローラ６１の回転によって給送される。
【符号の説明】
【００９９】
１０・・・複合機（画像記録装置）
１４・・・プリンタ筐体（筐体）
１５・・・用紙（シート）
２３・・・搬送路
３１・・・ガイド部
４０・・・カバー
５９・・・搬送ローラ（ローラ）
７０・・・防塵部
８９・・・搬送用モータ（モータ）
【図１】
2018124417.tif 000003
【図２】
2018124417.tif 000004
【図３】
2018124417.tif 000005
【図４】
2018124417.tif 000006
【図５】
2018124417.tif 000007
【図６】
2018124417.tif 000008
【図７】
2018124417.tif 000009
【図８】
2018124417.tif 000010
【図９】
2018124417.tif 000011
【図１０】
2018124417.tif 000012
【図１１】
2018124417.tif 000013
【図１２】
2018124417.tif 000014